(57)【要約】【課題】充電を容易に行うことができる携帯電話装置を提供することである。【解決手段】太陽電池部１１で発生した電力によりバッテリー１３を充電する。太陽電池部は、携帯電話装置の表示部（ディスプレイ）のガラス部分を透過性アモルファス太陽電池で構成してもよいし、また、その表示部の裏側の背面に設けてもよい。【選択図】　図１
2004140521.tif 000002
【特許請求の範囲】
【請求項１】
装置本体の一部に設けられた太陽電池部と、該太陽電池部が発生する電力により充電されるバッテリーとを備える携帯電話装置において、
前記太陽電池部は、前記装置本体のディスプレイ面の反対側の背面の一部に設けられていることを特徴とする携帯電話装置。
【請求項２】
前記太陽電池部は、前記装置本体のディスプレイ面の一部にも設けられていることを特徴とする請求項１記載の携帯電話装置。
【請求項３】
太陽電池のみを電源として利用し、携帯電話装置と接続されることによって該携帯電話装置のバッテリーを充電する携帯電話装置用充電器において、
該充電器本体の一部に太陽電池部を備え、該太陽電池部により発電された電力により前記バッテリーへの充電を行うことを特徴とする携帯電話装置用充電器。
【請求項４】
充電器本体の一部に設けられた太陽電池部で発生した電力により携帯電話装置のバッテリーを充電する携帯電話装置用充電器において、
送信先アドレスなどの各種情報を記憶する記憶部と、該記憶部用のバッテリーと、前記記憶部用バッテリーの充電の割り合いが所定値以上であるかを監視する監視部とを備え、
前記太陽電池部は、前記記憶部用バッテリーの充電の割り合いが前記所定値以上である場合に、前記監視部からの指示に基づいて、発生した電力を前記携帯電話装置のバッテリーに供給することを特徴とする携帯電話装置用充電器。
【発明の詳細な説明】
【０００１】
【発明の属する技術分野】
本発明は、携帯電話装置に関し、特に充電を容易に行うことが可能な携帯電話装置に関する。
【０００２】
【従来の技術】
携帯電話装置は持ち運び易く、基地局の電波が届く範囲であれば、どこにいても電話をかけることができるという利便性を有しており、近年、急速に普及している。
【０００３】
【発明が解決しようとする課題】
しかしながら、携帯電話装置は、上記の利便性を有する反面、所定期間毎に電池を充電しなければならない。特に近年、様々な機能が携帯電話装置に付加されるようになり、その携帯電話装置の消費電力が高くなる傾向にある。そのため、電池切れが頻繁に生じる。消費された電力を取り戻すには、携帯電話装置の電池を定期的に充電しなければならない。
【０００４】
上記した充電は、コンセント等を必要とするので、コンセントがある場所で行わなくてはならない。またその充電のための操作も面倒である。例えば、この充電の作業を始める際には、充電キット等のコードの一端をコンセントに指しこみ、そのコードの他端を携帯電話装置の専用の端子に接続する。そして、充電を終了する際には、コードの各端をコンセントや専用の端子から抜いたりする。
【０００５】
本発明の第１の課題は、充電を容易に行うことができる携帯電話装置を提供することである。
また本発明の他の課題は、充電を容易に行うことができると共に、発電効率がよい携帯電話装置を提供することである。
【０００６】
また本発明の他の課題は、充電を容易に行うことができると共に、様々な用途に兼用可能な携帯電話装置用充電器を提供することである。
【０００７】
【課題を解決するための手段】
本発明は、上記課題を解決するため、下記のような構成を採用した。
すなわち、本発明の一態様によれば、本発明の携帯電話装置は、装置本体の一部に設けられた太陽電池部と、該太陽電池部が発生する電力により充電されるバッテリーとを備える。そして、前記太陽電池部は、前記装置本体のディスプレイ面の反対側の背面の一部に設けられていることを特徴とする。
【０００８】
ここで、前記太陽電池部は、装置本体の一部に設けられており、その太陽電池部により発生される電力により前記バッテリーは充電される。このため、前記太陽電池部が電力を生じるに足りる光線（室内外を問わず、また、自然か人口の光かを問わず）があれば、特別な設備等を必要とすることなく、携帯電話装置を充電することが可能となる。
【０００９】
そして、上記太陽電池部は、前記装置本体のディスプレイ面の反対側の背面の一部に設けられている。このように構成すれば、例えば折りたたみ式の携帯電話装置では、折りたたんだ状態でも開いた状態でも背面は常に太陽光などの光線が当たる面となるので、発電効率がよくなる。
【００１０】
また更に、前記装置本体のディスプレイ面の一部にも上記太陽電池部を設けることで上記発電効率はより一層高まる。このように構成すれば、通話時などの折りたたみ式の携帯電話装置における折りたたみを開いた状態においては、太陽光などの光線がディスプレイに当たる確率が高いので、発電効率が高くなる。また折りたたみ式でない携帯電話装置でも、ディスプレイ面はしばしば光線の当たる面となる確率が高いので、発電効率が高まる。
【００１１】
尚、上記「背面の一部」「ディスプレイ面の一部」という場合、この「一部」は全体も含むものとする。したがって、例えば背面の全部やディスプレイ面の全部も含まれる。
また、本発明の一態様によれば、本発明の携帯電話装置用充電器は、太陽電池のみを電源として利用し、携帯電話装置と接続されることによって該携帯電話装置のバッテリーを充電する。そして、該充電器本体の一部に太陽電池部を備え、該太陽電池部により発電された電力により前記バッテリーへの充電を行うことを特徴とする。
【００１２】
ここで、前記太陽電池部は、携帯電話装置用充電器の一部に設けられているので、その充電器と、装置本体とを接続することで、前記充電器の太陽電池部が電力を生じるに足りる光線（室内外を問わず、また、自然か人口の光かを問わず）があれば、特別な設備等を必要とすることなく、携帯電話装置を充電することが可能となる。
【００１３】
尚、上記充電器は、充電機能のみでなく、例えば、送信先アドレスなどの各種情報を記憶する記憶部と、該記憶部用のバッテリーと、前記記憶部用バッテリーの充電の割り合いが所定値以上であるかを監視する監視部とを備え、前記太陽電池部は、前記記憶部用バッテリーの充電の割り合いが前記所定値以上である場合に、前記監視部からの指示に基づいて、発生した電力を前記携帯電話装置のバッテリーに供給する構成としてもよい。
【００１４】
ここで、「送信先アドレスなどの各種情報」とは、送信先アドレスの他に、送信先の電話番号や、その他の情報などを含むものである。上記充電器は、充電機能の他に、送信先アドレスなどを記憶する電話帖の役目も兼ねるので、様々な用途に兼用可能である。
【００１５】
【発明の実施の形態】
以下、本発明の実施の形態を、図面を参照しながら詳細に説明する。
本発明は、太陽電池部を携帯電話装置本体の一部、または携帯電話装置本体と接続される充電器に設け、その太陽電池部が発電した電力により携帯電話装置のバッテリーを充電するものである。
【００１６】
図１は、本発明の一実施形態の携帯電話装置の外観図である。
図１（ａ）において、携帯電話装置１０は、その背面に太陽電池部１１が設けられ、その太陽電池部１１を介して不図示のバッテリーに電力が供給される。
図２は、図１の携帯電話装置１０の内部構造を示す回路ブロック図である。
【００１７】
図２において、携帯電話装置１０は、電力を発生させる太陽電池部１１と、発生した電力をバッテリー１３に供給する充電回路１２と、バッテリー１３と、バッテリー１３から電力を供給され、その供給された電力を各部に供給する電源回路１４と、上記電源回路１４をはじめとする各部の制御を行う制御部１５と、送信先アドレス等の情報を入力する入力部１６と、入力部１６を介して入力された情報等を表示する表示部１７と、ＲＯＭ１８と、ＲＡＭ１９とから構成される。
【００１８】
上記構成の図２の回路ブロック図につき、以下にその動作を説明する。
太陽光などの光線により、太陽電池部１１に電力が発生すると、その電力は充電回路１２に供給される。充電回路１２は、バッテリー１３に電力を供給する。バッテリー１３は、充電回路１２から供給された電力を蓄積するが、その過充電については、例えばダイオード等により構成される不図示の過充電保護回路により保護される。尚、バッテリー１３は、複数回、充放電が可能な二次電池であり、例えばニッケル−カドミウム電池、リチウムイオン電池などである。
【００１９】
バッテリー１３に蓄積された電力は、電源回路１４に供給され、制御部１５の制御に基づき各部に供給される。例えば充電モードの場合は、制御部１５は、各部に電力が供給されないような制御を行い、充電解除モードの場合は、制御部１５は、必要に応じて各部に電力が供給されるような制御を行う。
【００２０】
また、ユーザが入力部１６から電話番号や、送信先アドレスを入力すると、その入力部１６から入力された電話番号、送信先アドレスは、ＲＡＭ１９に記憶される。
ＲＯＭ１８には制御プログラムを始めとする各種プログラムや、基本データ等が格納されており、これらのプログラムやデータは必要に応じてロードされて使用される。表示部１７には、送信先の電話番号やアドレス等が表示される。
【００２１】
尚、図１（ｂ）に示すように、太陽電池部１１を、表示部１７のディスプレイ面全体に設けてもよい。例えば、その窓のガラス部分を透過性アモルファス太陽電池により構成する。この他に、ディスプレイ面の一部に太陽電池部１１を設けることもできる。例えば、ディスプレイ面の周辺部に太陽電池部１１を設ける。
【００２２】
このように構成することで、本発明の一実施形態の携帯電話装置では、太陽電池部１１が電力を生じるに足りる光線（室内外を問わず、また、自然か人口の光かを問わず）があれば、特別な設備等を必要とすることなく、携帯電話装置を充電することが可能となる。
【００２３】
特に図１（ａ）に示すように、太陽電池部１１を携帯電話装置１０の背面に設ければ、折りたたみ式の携帯電話装置では、折りたたんだ状態でも開いた状態でも背面は常に太陽光などの光線が当たる面となるので、発電効率がよい。
また図１（ｂ）に示すように、太陽電池部１１を携帯電話装置１０のディスプレイのガラス部分に設けた場合には、通話時には、太陽光などの光線がディスプレイに当たる確率が高いので、発電効率が高くなる。
【００２４】
更に、図１（ａ）、及び（ｂ）に示すように、太陽電池部１１を、携帯電話装置１０の背面と、ディスプレイのガラス部分との双方に設ければ、発電効率がより一層上がることはいうまでもない。
また図３に示すような折りたたみ式でない携帯電話装置１０に対しても、図１に示すように太陽電池部を設けることもできる。例えば図３の携帯電話装置１０のディスプレイのガラス部分や、また、図からは定かでないが、その背面に太陽電池部１１を設けることができる。ディスプレイのガラス部分と、その背面の双方に設けることも可能である。
【００２５】
図４は、本発明の他の実施形態を示す図であり、携帯電話装置２０とその携帯電話装置用充電器３０との外観図である。
図４において、充電器本体３０の一部には、太陽電池部３１が設けられ、この太陽電池部３１により、携帯電話装置２０は、充電器３０の太陽電池部３１で発電された電力を供給される。
【００２６】
図５に、図４の携帯電話装置２０の内部構造を示す回路ブロック図を、また、図６に図４の充電器３０の内部構造を示す回路ブロック図を、それぞれ示す。尚、図５や図６の説明において、図２と重複する部分については説明を省略する。
図５において、データ送受信部２７を介して、図６の充電器３０のデータ送受信部３７から送信された送信先のアドレスや電話番号などのデータを利用する。また、入力部１６から入力した新規の電話番号や、アドレスを登録する際には、データ送受信部２７、図６の充電器のデータ送受信部３７を介して、入力した新規の送信先のデータを図６のメモリ３６に記憶させたりする。尚、データ送受信部２７、３７は、ケーブルなどで接続される。
【００２７】
図６において、携帯電話装置用充電器３０は、太陽電池部３１と、充電回路３２と、バッテリー３３と、電源回路３４と、制御部３５と、メモリ３６と、データ送受信部３７と、端子３８と、監視部３９とから構成される。
メモリ３６には送信先アドレスの他に、送信先の電話番号、その他の情報が格納され、必要に応じて利用される。
【００２８】
太陽電池部３１で発生した電力は、充電回路３２を介して、バッテリー３３に供給され、蓄積される。このバッテリー３３は、メモリ３６のバックアップ用のバッテリーであり、バッテリー３３に蓄積された電力は、電源回路３４に供給される。電源回路３４は制御部３５からの制御に基づき、メモリ３６に供給される。監視部３９は、バッテリー３３の充電の割り合いを監視し、その割合が所定値を上回れば、制御部３５に制御信号を出力する。制御部３５では、この制御信号に基づき充電回路３２が供給する電力の供給先をバッテリー３３から図５の携帯電話装置内のバッテリー１３に変更する。この変更により、充電回路３２が供給する電力は端子３８と図５の端子２８とを介して、携帯電話装置へ送られる。尚、端子２８、３８は電力用コードなどで接続される。
【００２９】
図５の充電回路１２に供給された電力により、バッテリー１３への充電が行われ、バッテリー１３に電力が蓄積される。
このように構成することにより、本発明の他の実施形態では、携帯電話装置用充電器３０の太陽電池部３１が電力を生じるに足りる光線（室内外を問わず、また、自然か人口の光かを問わず）があれば、特別な設備等を必要とすることなく、携帯電話装置２０を充電することが可能となる。また、携帯電話装置用充電器は、充電機能の他に、送信先アドレスなどを記憶する電話帖の役目も兼ねるので、様々な用途に兼用可能である。
【００３０】
尚、以上の説明では、図５の携帯電話装置２０は、太陽電池部を設けない構成であったが、太陽電池部を設ける構成としてもよい。このように構成すれば、図６の太陽電池部３１と、図５の携帯電話装置２０に設けられた太陽電池部とにより、発電効率をより一層高めることができる。
【００３１】
また、以上の説明では、監視部３９は、図６のバッテリー３３の充電の割り合いが所定値以上の場合、図５の携帯電話装置２０のバッテリー１３に電力を供給する構成としたが、併せて、監視部３９は、図６のバッテリー３３の充電の割り合いが所定値未満になった場合、図６の太陽電池部３１で発生した電力の供給先を、図５の携帯電話装置２０のバッテリー１３から、図６のバッテリー３３に変更するようにしてもよい。また、上記監視部３９を設けず、図５の端子２８と、図６の端子３８とを電力用のコードで接続した場合に、図６の太陽電池部３１で発生した電力の供給先を、図６のバッテリー３３から図５のバッテリー１３に変更するように構成することもできる。
【００３２】
【発明の効果】
以上説明してきたように、本発明の携帯電話装置によれば、太陽電池部が電力を生じるに足りる光線（室内外を問わず、また、自然か人口の光かを問わず）があれば、特別な設備等を必要とすることなく、携帯電話装置を充電することが可能となる。このことにより、携帯電話装置の充電を容易に行うことが可能となる。また、本発明の携帯電話装置は容易に充電を行えるので、携帯電話利用者が頻繁に充電をすることで、電池切れ頻度が下がり、携帯電話の利便性を更に高めることができる。また、本発明の携帯電話装置用充電器は、充電機能の他に、送信先アドレスなどを記憶する電話帖の役目も兼ねるので、様々な用途に兼用可能である。
【図面の簡単な説明】
【図１】本発明の一実施形態の携帯電話装置の外観図（その１）であり、（ａ）は折りたたんだ状態、（ｂ）は折りたたんでいない状態を示す図である。
【図２】本発明の一実施形態の携帯電話装置の内部構造を示す回路ブロック図である。
【図３】本発明の一実施形態の携帯電話装置の外観図（その２）である。
【図４】本発明の別実施形態の携帯電話装置とその充電器とを示す外観図である。
【図５】本発明の別実施形態の携帯電話装置の内部構造を示す回路ブロック図である。
【図６】本発明の別実施形態の携帯電話装置用充電器の内部構造を示す回路ブロック図である。
【符号の説明】
１０，２０　携帯電話装置
１１，３１　太陽電池部
１２，３２　充電回路
１３，３３　バッテリー
１４，３４　電源回路
１５，３５　制御部
１６　入力部
１７　表示部
１８　ＲＯＭ
１９　ＲＡＭ
２７，３７　データ送受信部
２８，３８　端子
３０　充電器
３９　監視部
【図１】
2004140521.tif 000003
【図２】
2004140521.tif 000004
【図３】
2004140521.tif 000005
【図４】
2004140521.tif 000006
【図５】
2004140521.tif 000007
【図６】
2004140521.tif 000008